(57)【要約】【課題】  異常発生を検出すると共に、異常の度合いにより、直ちに電源を遮断する処理だけでなく、動作終了処理によって、動作の区切りまで終了しない冗長性を持たせたりすることにより、異常状況に応じた適確な保護を行なうことができる電子装置を提供すること。【解決手段】  筐体１１内に所定の機能を得るための複数の回路基板１２を並設し、この回路基板１２を複数のファンユニット１４Ｆによって風冷する構造の電子装置であって、筐体１１内の異常状態を異常検出手段１７で検出し、この検出した異常度合いに応じて、制御手段１８は、瞬時に回路基板１２に対する電力供給を切断する異常処理だけでなく、電力供給の切断以前に回路基板１２の動作を終了させる動作終了処理を実行させる。【選択図】  図１
2005311195.tif 000002
【特許請求の範囲】
【請求項１】
筐体内に所定の機能を得るための複数の回路基板を並設し、この回路基板を風冷する構造の電子装置であって、
筐体内の異常状態を検出する異常検出手段と、
この異常検出手段により検出した異常度合いに応じて、瞬時に前記回路基板に対する電力供給を切断する異常処理と、前記電力供給の切断以前に回路基板の動作を終了させる動作終了処理とを実行させる制御手段と、
を備えたことを特徴とする電子装置。
【請求項２】
制御手段は、動作終了処理として、回路基板による所定の動作が区切りに達するまで動作を継続し、前記区切りに達した時点で終了させる冗長処理と、前記回路基板による所定動作を直ちに終了させる警告処理とを、異常検出手段により検出された異常度合いに応じて実行させることを特徴とする請求項1に記載の電子装置。
【請求項３】
異常検出手段は、風冷後の排気温度を検出する温度センサー、回路基板の電圧を測定する電圧センサー、筐体内の煙の有無を検知する煙センサー、風冷風量低下、複数設けられる電源装置の異常検出、の少なくとも1つの検出信号に基づき異常度合いを検出することを特徴とする請求項１または請求項２に記載の電子装置。
【請求項４】
制御手段は、異常検出手段により、風冷風量の動作継続許容範囲内での低下を検出した場合、または複数設けられた電源装置のうち動作継続許容範囲内での個数の異常を検出した場合、の少なくとも一方により、冗長処理を実行させることを特徴とする請求項３に記載の電子装置。
【請求項５】
制御手段は、異常検出手段により、温度センサーまたは電圧センサーの少なくとも一方の検出値が、予め設定した異常値近くの警告値範囲内となった場合に、警告処理を実行させることを特徴とする請求項３に記載の電子装置。
【請求項６】
制御手段は、異常検出手段により、煙発生を検出した場合、温度または電圧値が予め設定した異常値を越えた場合、の少なくとも一つにより異常処理を実行させることを特徴とする請求項３に記載の電子装置。
【発明の詳細な説明】
【技術分野】
【０００１】
本発明は、筐体内に所定の機能を得るための複数の回路基板を並設し、この回路基板に対する風冷装置を設けた電子装置に関する。
【背景技術】
【０００２】
従来から各種の電子・電気設備に対する異常検出装置として、種々のものが提案されている。例えば、コンピュータ機器などに使用される電源ユニットに対しては、その電圧や温度の異常或いは煙の有無などにより異常を検出し、入力回路を遮断するものがある（例えば、特許文献1参照）。
【特許文献１】特開２００１−１８６７６０号公報
【発明の開示】
【発明が解決しようとする課題】
【０００３】
このように回路部品を保護するためには、異常を検出すると、直ちに入力を遮断することが好ましい。しかしながら、回路基板により所定の機能を果たす電子装置などでは、異常の度合によっては、直ちに遮断せずに冗長性を持たせることも、機能を維持するためから望ましい。
【０００４】
本発明の目的は、異常発生を検出すると、異常の度合いにより、直ちに電源を遮断する処理だけでなく、動作の区切りまで継続させた後、終了させる冗長処理を行うなど、異常状況に応じた適確な保護を行なうことができる電子装置を提供することにある。
【課題を解決するための手段】
【０００５】
本発明による電子装置は、筐体内に所定の機能を得るための複数の回路基板を並設し、この回路基板を風冷する構造の電子装置であって、筐体内の異常状態を検出する異常検出手段と、この異常検出手段により検出した異常度合いに応じて、瞬時に前記回路基板に対する電力供給を切断する異常処理と、前記電力供給の切断以前に回路基板の動作を終了させる動作終了処理とを実行させる制御手段とを備えたことを特徴とする。
【０００６】
また、本発明では、制御手段は、動作終了処理として、回路基板による所定の動作が区切りに達するまで動作を継続し、前記区切りに達した時点で終了させる冗長処理と、回路基板による所定動作を直ちに終了させる警告処理とを、異常検出手段により検出された異常度合いに応じて、実行させるものでもよい。
【０００７】
本発明では、異常検出手段は、風冷後の排気温度を検出する温度センサー、回路基板の電圧を測定する電圧センサー、筐体内の煙の有無を検知する煙センサー、風冷風量低下、複数設けられる電源装置の異常検出、の少なくとも1つの検出信号に基づき異常度合いを検出する。
【０００８】
本発明では、制御手段は、異常検出手段により、風冷風量の動作継続許容範囲内での低下を検出した場合、または複数設けられた電源装置のうち動作継続許容範囲内での個数の異常を検出した場合、の少なくとも一方により、冗長処理を実行させる。
【０００９】
また、本発明では、制御手段は、異常検出手段により、温度センサーまたは電圧センサーの少なくとも一方の検出値が、予め設定した異常値近くの警告値範囲内となった場合に、警告処理を実行させる。
【００１０】
さらに、本発明では、制御手段は、異常検出手段により、煙発生を検出した場合、温度または電圧値が予め設定した異常値を越えた場合、の少なくとも一つにより異常処理を実行させる。
【発明の効果】
【００１１】
本発明によれば、筐体内で発生する異常の度合いにより、直ちに電源を遮断するだけでなく、動作の区切りまで終了しない冗長性を持たせたり、あるいは、直ちに終了させたりするなど、複数の対応処理を行うことができ、異常状況に対応した的確な保護を行なうことができる。
【発明を実施するための最良の形態】
【００１２】
以下、本発明による電子装置を実施するための最良の形態を、図面を参照して詳細に説明する。
【００１３】
図１は、電子装置の全体構成を示す概念ブロック図、図２は電子装置の外観形状を示す斜視図、図３は図２で示した電子装置の筐体内部の構成を示す斜視図、図４はこの形態に用いる制御手段の制御機能を説明する図である。
【００１４】
本発明による電子装置１０は、図１で示すように、筐体１１内に所定の機能（例えば、ＶＭＥ６４Ｘ規格）を得るための複数の回路基板１２を並設した回路基板収納部１３を有しており、通常、ラックと呼ばれている（以下、電子装置１０をラックと呼ぶ）。筐体１１内には、回路基板１２を風冷するための冷却装置１４、回路基板１２に電力を供給する電源装置部１５、筐体１１内の状態を検出する各種センサーからなるセンサー群１６、このセンサー群１６の検出信号により筐体１１内の異常状態を検出する異常検出手段１７がそれぞれ設けられている。
【００１５】
１８は制御手段で、異常検出手段１７により検出した異常状態の度合いに応じて、ラック１０に対する所定の保護処理を実行させる。この制御手段１８の詳細機能は後述するが、ラック１０とは別体に設けられ、通信回線１９により接続するホストコンピュータのソフトウエアにより実現する。なお、制御手段１８は、ホストコンピュータによって実現するものに限らず、筐体１１内に制御機能を有するＣＰＵを設け、制御手段内蔵型のラックとして構成してもよい。
【００１６】
図２は、このラック１０の外観形状を示している。筐体１１は、前面扉１１ａ及び後面扉１１ｂを有する自立型のもので、内部には図３で示すシャーシユニット２１が設けられている。このシャーシユニット２１は、高さ方向中段部分に、複数枚の回路基板１２を前後方向に沿う状態で縦向きに並列配置した回路基板収納部１３が配置されている。
【００１７】
この回路基板収納部１３の上には、冷却装置１４として風冷用のファンユニット１４Ｆが複数個（この形態では４台とする）設置されている。  シャーシユニット２１の下部には、複数枚の回路基板１２に電力を供給する電源装置部１５が設置されている。この電源装置部１５は、図示しないが、複数の電源装置を並列接続し、１台の電源装置がダウンしても一定電圧（この例ではＤＣ５ｖ）の電力供給を継続できるように構成されている。
【００１８】
センサー群１６は、風冷後の排気温度を検出する温度センサー、回路基板１２の電圧を測定する電圧センサー、筐体内の煙の有無を検知する煙センサー、風冷風量の低下を検出するセンサー、複数設けられた電源装置個々の異常を検出するセンサーなどからなる。
【００１９】
このうち温度センサー１６Tは、図３で示すように、回路基板収納部１３の上方で、ファンユニット１４Ｆとの間に設置され、回路基板を風冷後の排気の温度を測定する。この温度センサー１６Tは、詳細に図示しないが、回路基板収納部１３の基板用スロット毎に配置され、基板スロットに取り付けられた各回路基板１２の温度を、風冷後の排気温度から測定する。
【００２０】
また、煙センサー１６Ｓは、シャーシユニット２１の上部に設置され、筐体１１内で発生する煙を捕らえて動作する。風冷風量の低下を検出するセンサーとしては、複数設けられたファンユニット１４Ｆのそれぞれの運転状態を検出し、これらの一部が異常発生などにより停止した場合、これを検出して風量低下と判断するものを用いる。あるいは、ファンユニット１４Ｆの個々の回転速度を検出して、その回転速度の低下により、風量低下と判断するものを用いてもよい。
【００２１】
この他、電圧センサーや電源装置個々の異常を検出するセンサーについては図示していないが、対象機器個々に取り付けられ、それぞれ所定の検知動作を行うものである。
【００２２】
異常検出手段１７は、図２で示すように、筐体１１内のシャーシユニット２１上に設けられている。この異常検出手段１７は、上述したセンサー群１６、すなわち、風冷後の排気温度を検出する温度センサー１６Tや、回路基板１２の電圧を測定する電圧センサー、筐体内の煙の有無を検知する煙センサー１６Ｓ、風冷風量低下を検出するセンサー、複数設けられる電源装置の異常検出センサーなどの検出信号を入力し、これらの少なくとも1つの検出信号に基づき、発生した異常の度合いを検出する。
【００２３】
制御手段１８は通信回線１９により異常検出手段１７と接続しており、この異常検出手段１７により検出した異常度合いに応じて、ラック１０に対する保護処理を実行させる。
【００２４】
この保護処理は、図４で示すように、異常度合いが最も低い場合（以下、異常度合い１とする）は、異常を検出すると（ステップ４１１）、とりあえず回路基板１２による所定の動作が区切り、例えば一連の動作の終了等に達するまで動作（運転）を継続し（ステップ４１２）、動作の区切りに達した時点で終了させ（ステップ４１３）、その後にラック１０内への電力供給を遮断する（ステップ４１４）。以下、この冗長性をもたせた動作終了処理を冗長処理と呼ぶ。
【００２５】
次に、異常度合いが中程度の場合（以下、異常度合い２とする）は、異常を検出すると（ステップ４２１）、回路基板１２による所定の動作を直ちに終了させる（ステップ４２２）。その後にラック１０内への電力供給を遮断する（ステップ４２３）。以下、この動作を直ちに終了させる動作終了処理を警告処理と呼ぶ。
【００２６】
さらに、異常度合いが最も高い場合（以下、異常度合い３とする）は、異常を検出すると（ステップ４３１）、直ちにラック１０内への電力供給を遮断する（ステップ４３２）。以下、この直ちに電源を切断する処理を異常処理と呼ぶ。
【００２７】
次に、異常度合いの例を説明する。異常度合いは、センサー群１６から異常検出手段１７に入力される各センサーの検出信号に基づいて判定されるものであり、例えば、次のように判定条件を定めた判定テーブルを用いればよい。
【００２８】
異常度合い１：
１−１．複数台のファンユニット１４Ｆの一部に故障が生じて停止した（又は回転速度が低下した）ことにより風冷ファンの送風量が低下した。
【００２９】
１−２．電源装置部１５を構成する複数台の電源装置の一部に故障が生じ、一部の電源装置がダウンした。
【００３０】
上記条件１−１又は１−２の少なくとも一方の状態信号が入力されたことにより、異常度合い１と判定する。
【００３１】
すなわち、ファンユニット１４および電源装置部１５には冗長性を持たせているので、異常が発生しても、直ちに回路基板１２の動作を終了することなく、動作を継続できる場合がある。例えば、４台のファンユニット１４Ｆのうち１台のファンユニットが停止しても、残りの３台で回路基板１２に対する冷却が可能（風冷風量の動作継続許容範囲内での低下）であり、回路基板１２の動作を直ちに停止しなくてもよい。同様に、電源装置部１５についても、複数の電源装置を並列接続して冗長性を持たせており、このうちの１台（動作継続許容範囲内での個数）がダウンしても回路基板１２に対し規定電圧を維持でき、回路基板１２の動作を直ちに停止しなくてもよい。
【００３２】
このように、上記いずれの場合でも、回路基板１２の動作を継続できるが、異常発生であるので、動作の区切り、例えば一連の動作の終了等がついた時点で停止させる必要がある。このように、動作をある程度継続できる比較的軽微な異常発生状態を異常度合い１とする。
【００３３】
異常度合い２：
２−１．温度センサーの検出値が、予め設定した異常値近くの警告値範囲内となった場合。例えば、５０℃（警告温度）で動作する温度センサーと、７０℃（異常温度）で動作するセンサーを設けた場合で、５０℃で動作する温度センサーが動作し、７０℃で動作するセンサーが不動作の場合。言い換えると、回路基板１２を風冷した排気温度が５０℃以上で７０℃未満の範囲に上昇した場合。
【００３４】
２−２．電圧センサーの検出値が、予め設定した異常値近くの警告値範囲内となった場合。例えば、回路基板１２の動作回路電圧が５ｖであり、動作許容範囲が±５％（４．７５ｖ〜５．２５ｖの範囲）の場合、電圧値が４．８ｖ以下で４．７５ｖ近くまで低下したり、５．２ｖ以上で５．２５ｖ未満まで上昇した場合。
【００３５】
上記条件２−１又は２−２の少なくとも一方の状態信号が入力されたことにより異常度合い２と判定する。
【００３６】
すなわち、上記条件２−１および２-２の状態は、異常値まで達していないが、このまま運転を継続すると異常値に達する可能性が極めて高く、電子機器に損傷を与える恐れがあるため、回路基板１２の動作を終了させる必要がある。このように、回路基板１２の動作を終了させる必要のある中程度の異常発生状態を異常度合い２とする。
【００３７】
異常度合い３：
３−１．煙センサーが検出動作した場合。
【００３８】
３−２．温度センサーの検出値が、予め設定した異常値を超えた場合。
【００３９】
３−３．電圧センサーの検出値が、予め設定した異常値を超えた場合。
【００４０】
上記条件３−１、３−２、３−３の少なくとも一つの状態信号が入力されたことにより異常度合い３と判定する。
【００４１】
すなわち、条件３−１の煙の発生は、熱による何らかの損傷が発生したことを意味し、直ちに電源を遮断する必要がある。また、条件３−２の温度が前述した異常値（この例では７０℃）を超えると熱による損傷が発生する可能性が高く、直ちに電源を遮断する必要がある。さらに、条件３−３の電圧が前述した異常値（この例では４．７５ｖ以下、５．２５ｖ以上）に達すると、動作が保障されず回路素子の損傷にいたる恐れがあるため、やはり直ちに電源を遮断する必要がある。
【００４２】
このように、直ちに電源を遮断する必要がある場合は、いずれの場合であっても異常度合い３とする。
【００４３】
上記構成において、通常の動作状態において、回路基板１２は、電源装置部１５から規定電圧（この例ではＤＣ５ｖ）の電力が供給され、所定の機能を達成すべく動作している。また、このとき、冷却装置１４は、図示しない交流電源回路から駆動電力の供給を受け、複数台（この例では４台）のファンユニット１４Ｆを動作させ、回路基板収納部１３の下方から上方に向かって送風し、複数枚並設された回路基板１２を風冷している。さらに、各種のセンサーからなるセンサー群１６は、筐体１１内に生じる各種の状態（温度上昇、電圧変化、煙の有無、風冷風量の低下、複数ある電源装置の異常有無など）を検出し、その結果を異常検出手段１７に出力している。異常検出手段１７は、この検出結果を入力し、異常の度合いを判定して、その判定結果を通信回線１９により制御手段に１８に伝えている。
【００４４】
このような運転状態において、例えば、４台設けられた風冷用のファンユニット１４Ｆのうち、どれか１台が故障して停止したものとする。この場合は、前記判定テ−ブルにおける条件１−１が成立するので、異常度合い１と判定される。
【００４５】
通常、風冷用のファンユニット１４Ｆは冗長性を持たせて４台用意しているが、１台のファンユニットが停止し全体の風量が低下しても、直ちに冷却風量が不足することはない。しかし、異常発生であることから、そのままの状態で長期間にわたって運転を継続することは好ましくない。そこで、制御手段１８は、異常度合い１の判定結果により、図４で示したように、回路基板１２の運転は継続（ステップ４０２）するが、回路基板１２による動作を、区切りとなった時点で終了処理させる（ステップ４０３）。すなわち、冗長性を持たせて動作終了処理（冗長処理）を実行させる。
【００４６】
この動作は、判定テーブルの条件１−２が成立した場合、および条件１−１と１−２の双方が成立した場合も同じである。
【００４７】
このように、比較的軽微な異常（異常度合い１）が発生した場合、回路基板１２の動作を、区切りの時点まで継続した後、終了させるので、回路基板１２の動作によって達成される所定の機能が大きく損なわれることはなく、正常な終了処理が行われる。
【００４８】
また、前述の動作状態において、例えば、回路基板を風冷した排気の温度が、温度センサー１６Tにより、予め設定した異常値近くの警告値範囲（この例では５０℃以上７０℃未満の範囲）に上昇した場合、前記判定テーブルの条件２−１が成立し、異常度合い２と判定される。
【００４９】
すなわち、回路基板１２の温度が、異常値には達していないが、異常値に近い警告値範囲内に上昇しているので、このまま運転を継続すると回路基板１２の温度が異常値まで上昇する恐れがあり、回路基板１２の動作を終了させる必要がある。そこで、制御手段１８は、異常度合い２の判定結果により、図４で示したように、直ちに回路基板１２の動作を終了させる（ステップ４２２）。
【００５０】
このように、中程度の異常（異常度合い２）が発生した場合は、回路基板１２に対する保護処理を優先し、直ちに回路基板１２の動作を終了処理する。この結果、回路基板１２を異常状態から確実に保護することができる。また、回路基板１２に対する動作終了処理は、正規の終了ルーチンに従うものであり、回路基板１２による動作が大きく損なわれることはなく、次回の起動もスムーズに行うことができる。
【００５１】
この動作は、判定テーブルの条件２−２が成立した場合、すなわち、電圧センサーの検出値が、予め設定した異常値近くの警告値範囲内となった場合、および条件２−１と２−２の双方が成立した場合も同じである。
【００５２】
さらに、前述した運転中において、例えば、煙センサー１６Ｓが検出動作した場合、前記判定テーブルにおける条件３−１が成立するので、異常度合い３と判定される。
【００５３】
このように、筐体１１内において煙が検出されたということは、筐体１１内のいずれかに熱による損傷が発生したことであり、直ちに回路基板１２に対する電力供給を遮断する必要がある。そこで、制御手段１８は、異常度合い３の判定結果に基づき、図４で示したように、ラック１０の電力供給を瞬時に切断する処理（ステップ４３２）を実行させる。
【００５４】
この動作は、判定テーブルの条件３−２が成立した場合、すなわち、温度センサー１６Ｔの検出値が、予め設定した異常値を超えた場合、同じく条件３−３が成立した場合、すなわち、電圧センサーの検出値が、予め設定した異常値を超えた場合、さらには、これら条件３−１，３−２，３−３のすべてが成立した場合も同じである。
【００５５】
このように重度の異常（異常度合い３）が発生した場合は、ラック１０における電力供給を直ちに遮断して異常状態を除去するので、ラック１０が焼損にいたるようなことはなく、装置の安全性および信頼性を高めることができる。
【００５６】
このように、筐体１１内で発生する異常の度合いにより、直ちに電源を遮断するだけでなく、動作の区切りまで終了しない冗長性を持たせたり、あるいは、直ちに終了させたりするなど、複数の対応処理を行うことができ、異常状況に対応した的確な保護を行なうことができる。
【００５７】
なお、上記形態では異常の度合いを３段階に設定していたが、これに限定されるものではなく、２段階に設定したり、反対に、より細かく４段階以上に設定してもよい。また、異常度合いを判定する条件についても上記説明では一例を示したものであり、これら以外の条件を設定してもかまわない。
【図面の簡単な説明】
【００５８】
【図１】本発明による電子装置を実施するための最良の形態を示すブロック図である。
【図２】同上形態の外観形状を示す斜視図である。
【図３】同上形態に用いられるシャーシユニットを示す斜視図である。
【図４】同上形態の制御手法を説明するフローチャートである。
【符号の説明】
【００５９】
１０    電子装置（ラック）
１１    筐体
１２    回路基板
１３    回路基板収納部
１４    冷却装置
１４Ｆ  ファンユニット
１５    電源装置部
１６    センサー群
１６T    温度センサー
１６Ｓ   煙センサ−  
１７    異常検出手段
１８    制御手段
【図１】
2005311195.tif 000003
【図２】
2005311195.tif 000004
【図３】
2005311195.tif 000005
【図４】
2005311195.tif 000006